(57)【要約】【課題】生活空間に存在する浮遊菌の侵入経路を遮断できる衛生的な冷蔵庫を提供する。【解決手段】プラスイオンとマイナスイオンを冷蔵庫前方周囲の庫外生活空間に放出するよう　イオン発生装置７を内蔵するケーシングユニット８を冷蔵庫コントロールパネル６と一体化し　、その前面にイオン化空気放出口１１を配置することにより、庫外生活空間に存在する浮遊菌　を殺菌し衛生的な生活空間を提供する。同時に、ドア開閉時に庫外から庫内へ侵入する浮遊菌　を排除でき、衛生的な庫内環境を実現することができる。【選択図】図１
2004144342.tif 000002
【特許請求の範囲】
【請求項１】
冷蔵庫庫外の生活空間にプラスイオンとマイナスイオンを発生するイオン発生手段及びその操作部が設けられ、該イオン発生手段及び操作部が、冷蔵庫筐体に床面から高さ８００〜１１００ｍｍの位置に備え付けられたことを特徴とする冷蔵庫。
【請求項２】
冷蔵庫庫外の生活空間にプラスイオンとマイナスイオンを発生するイオン発生手段が設けられ、該イオン発生手段を内蔵してユニット化されたケーシングユニットが設けられ、該ケーシングユニットが貯蔵室の温度調節等の各種設定を行うコントロールパネル内に組み込まれて一体化されたことを特徴とする冷蔵庫。
【請求項３】
冷蔵庫庫外の生活空間にプラスイオンとマイナスイオンを発生するイオン発生手段　が設けられ、該イオン発生手段を内蔵してユニット化されたケーシングユニットが設けられ、　該ケーシングユニットの空気放出口が冷蔵庫の前方に向けて配置されたことを特徴とする冷蔵　庫。
【請求項４】
冷蔵庫庫外の生活空間にプラスイオンとマイナスイオンを発生するイオン発生手段が設けられ、該イオン発生手段を内蔵してユニット化されたケーシングユニットが設けられ、該ケーシングユニットの空気吸入口が貯蔵室の温度調節等の各種設定を行うコントロールパネルの下面に配置されると共に該パネルの下に位置するドアハンドルの窪みの上方に配置されたことを特徴とする冷蔵庫。
【請求項５】
冷蔵庫庫外の生活空間にプラスイオンとマイナスイオンを発生するイオン発生手段が設けられ、該イオン発生手段を内蔵してユニット化されたケーシングユニットが設けられ、該ケーシングユニットへの空気吸入用の空気吸入口にフィルタを装着したことを特徴とする冷蔵庫。
【請求項６】
前記フィルタがケーシングユニットに着脱自在に装着されたことを特徴とする請求項５に記載の冷蔵庫。
【請求項７】
冷蔵庫庫外の生活空間にプラスイオンとマイナスイオンを発生するイオン発生手段が設けられ、該イオン発生手段を内蔵してユニット化されたケーシングユニットが設けられ、該ケーシングユニットにユニット内に侵入した水等の液体をイオン発生手段７側に侵入するのを防止するための浸水防止手段が設けられたことを特徴とする冷蔵庫。
【請求項８】
前記浸水防止手段は、ケーシングユニットに設けられた空気吸入口およびイオン化空気放出口以外の水抜き穴であることを特徴とする請求項７に記載の冷蔵庫。
【請求項９】
前記ケーシングユニットが貯蔵室の温度調節等の各種設定を行うコントロールパネル内に組み込まれ、該コントロールパネルの底部に水抜き穴が形成されたことを特徴とする請求項８に記載の冷蔵庫。
【請求項１０】
前記浸水防止手段は、イオン化空気放出口とイオン発生装置との間の空気送風路においてケーシングユニットの底部から立ち上げられた液体侵入防止用のリブであることを特徴とする請求項７に記載の冷蔵庫。
【発明の詳細な説明】
【０００１】
【発明の属する技術分野】
本発明は、庫外の生活空間に存在する浮遊菌を殺菌する機能を有する冷蔵庫に関するものである。
【０００２】
【従来の技術】
従来の冷蔵庫として、特許文献１に記載されているように、プラスイオンとマイナスイオンを発生する手段を設け、冷蔵庫内の冷気に存在する浮遊菌を殺菌するものが開示されている。
【０００３】
【特許文献１】特開２００２−９５７３１号公報参照
【０００４】
【発明が解決しようとする課題】
ところで、上記従来技術では、庫内の冷気中を浮遊している微生物が殺菌対象であり、庫外の生活空間から庫内に侵入した微生物が単独もしくはパーティクルに付着した状態で冷気中を浮遊することが少なくとも必要となる。
【０００５】
しかし、実際に使用されているイオン発生手段を備えた冷蔵庫の庫内を調査した結果、実際には多数の微生物が検出されており、庫内に侵入した微生物の一部は、冷気中を浮遊することなく、成型品の帯電作用により庫内に留まっていることを確認した。
【０００６】
この帯電付着している微生物の一部は、冷蔵庫を設置している庫外の生活空間から庫内へ浮遊菌として侵入し、庫内へ留まっていることが考えられる。従って、冷蔵庫として考えた場合、上記構成の従来技術のイオン発生手段だけでは必ずしも有効な殺菌手段とは言えない。
【０００７】
また、冷蔵庫を設置している生活空間に同機能を有した空気清浄機を設置し、庫外から庫内への浮遊菌の侵入を排除するようにしてもよいが、最近の住宅事情から判断すると設置場所をとるなどの理由により、決して一般的な解決方法とは言えない。
【０００８】
本発明は、上記課題を克服し、場所をとらずに庫外から庫内へ侵入する微生物を排除すると共に、生活空間に存在する浮遊菌を殺菌して、その侵入経路を遮断することで、より衛生的な庫内環境を実現できる冷蔵庫の提供を目的としている。
【０００９】
【課題を解決するための手段】
上記目標を達成するため、本発明では、冷蔵庫庫外の生活空間にプラスイオンとマイナスイオンを発生するイオン発生手段及びその操作部が設けられ、該イオン発生手段及び操作部が、冷蔵庫筐体に床面から高さ８００〜１１００ｍｍの位置に備え付けられたことを特徴とする冷蔵庫を提供するものである。
【００１０】
上記構成によると、床面からの高さ８００〜１１００ｍｍの位置に庫外プラズマクラスタを配置することにより、イオン化された空気が直接乳幼児の顔に吹きかかること無く（歩行年齢に達する生後１歳半の平均身長が約８００ｍｍであり、少なくとも伝い歩きからよちよち歩きの年齢の乳幼児の顔に吹きかかるのを防止する意味では有効である）、また、大人が操作する際の操作性も損なうことなく、安全性と利便性を同時に両立することが可能となる。
【００１１】
また、本発明では、冷蔵庫庫外の生活空間にプラスイオンとマイナスイオンを発生するイオン発生手段が設けられ、該イオン発生手段を内蔵してユニット化されたケーシングユニットが設けられ、該ケーシングユニットが貯蔵室の温度調節等の各種設定を行うコントロールパネル内に組み込まれて一体化されたことを特徴とする冷蔵庫を提供するものである。
【００１２】
上記構成によると、コントロールパネル内に、ユニット化されたケーシングユニットを組み込み一体化することにより、省スペース化が図れ、貯蔵室の空間を減少させることもなく、冷蔵庫としての機能・美観を損なわずに済む。また、ケーシングユニットのイオン化空気放出口を、パイプ等を経由せずコントロールパネル前面に直接配置することにより、効率良くイオン化空気を放出すると同時に省スペース化も実現することができる。
【００１３】
さらに、本発明では、冷蔵庫庫外の生活空間にプラスイオンとマイナスイオンを発生するイオ　ン発生手段が設けられ、該イオン発生手段を内蔵してユニット化されたケーシングユニットが　設けられ、該ケーシングユニットの空気放出口が冷蔵庫の前方に向けて配置されたことを特徴　とする冷蔵庫を提供するものである。
【００１４】
上記構成によると、冷蔵庫の前方に向けてケーシングユニットのイオン化空気放出口を配置することによって、冷蔵庫前方周囲の庫外生活空間に効果的にイオン化空気を放出することができる。また、コントロールパネル前面に放出口を配置した場合には、冷蔵庫の操作をしている際に手をかざす等すれば、イオン発生手段が作動していることを容易に確認することもできる。
【００１５】
また、本発明では、冷蔵庫庫外の生活空間にプラスイオンとマイナスイオンを発生するイオン発生手段が設けられ、該イオン発生手段を内蔵してユニット化されたケーシングユニットが設けられ、該ケーシングユニットの空気吸入口が貯蔵室の温度調節等の各種設定を行うコントロールパネルの下面に配置されると共に該パネルの下に位置する前記ドアハンドルの窪みの上方に配置されたことを特徴とする冷蔵庫を提供するものである。
【００１６】
上記構成によると、ケーシングユニットの空気吸入口を窪みを有するドアハンドルの上方に設け、ドアハンドルの窪みによって生じた空間近傍から空気をケーシングユニット内に吸入するようにし、吸入効率を向上させている。またコントロールパネル下面に空気吸入口を配置することにより、上方から降ってくる粉塵の侵入を防ぎ、水等液体の流入を阻止し、性能低下や故障を回避することができる。
【００１７】
さらに、本発明では、冷蔵庫庫外の生活空間にプラスイオンとマイナスイオンを発生するイオン発生手段が設けられ、該イオン発生手段を内蔵してユニット化されたケーシングユニットが設けられ、該ケーシングユニットへの空気吸入用の空気吸入口にフィルタを装着したことを特徴とする冷蔵庫を提供するものである。
【００１８】
上記構成によると、ケーシングユニットへの空気吸入用の空気吸入口にフィルタを装着し　、ユニット内への粉塵の侵入を阻止し、イオン発生電極部への粉塵堆積を防止して性能低下を　回避することができる。
【００１９】
また、このフィルタは、ケーシングユニットに着脱自在に装着することにより、日常の清掃、及び交換が容易に行えるようになり、衛生的に利用することができ、フィルタの目詰まりによる性能低下も防ぐことができる。
【００２０】
また、本発明では、冷蔵庫庫外の生活空間にプラスイオンとマイナスイオンを発生するイオン発生手段が設けられ、該イオン発生手段を内蔵してユニット化されたケーシングユニットが設けられ、該ケーシングユニットにユニット内に侵入した水等の液体をイオン発生手段７側に侵入するのを防止するための浸水防止手段が設けられたことを特徴とする冷蔵庫も提供することができる。
【００２１】
この構成によると、ケーシングユニットに、万が一、空気吸入口から水等の液体がケーシングユニット内に流入した場合でも、浸水防止手段によりケーシング内部のイオン発生装置等が影響を受けないようにすることができる。
【００２２】
この浸水防止手段として、ケーシングユニットに設けられた空気吸入口およびイオン化空気放出口以外の水抜き穴を採用することができる。この水抜き穴により、万が一、空気吸入口から水等の液体がケーシングユニット内に流入した場合でも、水抜き穴より外部に排水することができる。
【００２３】
また、ケーシングユニットが貯蔵室の温度調節等の各種設定を行うコントロールパネル内に組み込んだ場合、コントロールパネルの底部に水抜き穴を形成すれば、前述のケーシングユニットから排出された水等の液体もコントロールパネル内の水抜き穴より外部へ排水され、コントロールパネル内の部品も影響を受けないようになる。さらに、浸水防止手段として、イオン化空気放出口とイオン発生装置との間の空気送風路においてケーシングユニットの底部から立ち上げられた液体侵入防止用のリブを形成すれば、イオン発生装置側への水等の液体の侵入を防止することができる。
【００２４】
【発明の実施の形態】
以下、本発明の実施形態を図面に基づいて説明する。図１は本発明の実施形態である冷蔵庫の全体図、図２は図１のコントロールパネルの構成を示す正面図、図３は同じくコントロールパネルの構成を示す断面図、図４はコントロールパネルをケーシングユニットの空気吸入口にフィルタを取り付けた状態で下側からみた底面図、図５はコントロールパネルをケーシングユニットの空気吸入口にフィルタを取り外した状態で下側からみた底面図である。
【００２５】
図１に示すように、冷蔵庫本体１は、夫々断熱仕切壁１ａにより区画されて上方に冷蔵室２が設けられ、その下側に製氷室３、冷凍室４と野菜室５が左右に配置されている。仕切壁１ａのうち、冷蔵室２と製氷室３・野菜室５の間の仕切壁１ａは床面から高さ８００〜１１００ｍｍ（図１においては約９１０ｍｍ）の位置に設定されている。この仕切壁１ａの前面には、コントロールパネル６が設けられ、このコントロールパネル６には、図２および図３に示すように、冷蔵庫庫外の生活空間にプラスイオンとマイナスイオンを発生するイオン発生装置７を内蔵してユニット化されたケーシングユニット８が組み込まれて一体化されている。
【００２６】
コントロールパネル６は、後面が開放された箱型のパネル本体６ａの中央部に冷蔵庫の運転状態などをモニターして表示する表示部９が設けられ、さらに、右側には、冷蔵庫の各種設定が行なえる操作ボタンを設けた操作パネル部１０が設けられ、さらに、左側にはケーシングユニット８のイオン化空気放出口１１が形成されている。また、空気放出口１１の右側には、イオン発生装置７のＯＮ／ＯＦＦや、イオン発生バランスの切替え設定を行う操作部１２が設けられている。
【００２７】
また、図４、５はコントロールパネルに設けられた空気吸入口１３へのフィルタ１４の着脱の様子を示したものである。図に示すように、コントロールパネル６の左側底面には、ケーシングユニット８の空気吸入口１３に連通する格子状の開口１６が形成され、この開口１６がパネルの下側の野菜室５の上部ドアハンドルを形成する窪み１７の上方に配置されるようになっている。
【００２８】
コントロールパネル６の底面開口１６には防塵フィルタ１４が着脱自在に取り付けられている。このフィルタ１４により、ケーシングユニット８の空気吸入口１３から吸い込まれる空気中の粉塵が除去され、イオン発生装置７の放電電極部の塵埃付着による性能低下の抑制を図っている。
【００２９】
フィルタ１４は、合成樹脂製の枠体に張設された樹脂製のネットから構成されており、爪　によりコントロールパネル６の底面に固定される。フィルタ１４は、その材質が柔らかく簡単　に変形させることができるため、コントロールパネル６から容易に取り外すことができる。
【００３０】
ケーシングユニット８は、図３および図６に示すように、その本体が樹脂成形品により筒状に形成されて内部にイオン化空気送風路２０が形成され、その左端部の下側に空気吸入口１３が形成され、右端部にイオン化空気放出口１１が形成されている。イオン化空気送風路２０に中間部に該送風路に面してイオン発生装置７が配置され、また、空気吸入口１３の上方には送風機２１が配置されている。
【００３１】
また、ケーシングユニット８の本体は、前述のとおり樹脂製の成形品とすることでコスト的に有利となるが、この場合、アルミテープなどの導体でイオン化空気送風路２０の内側の外郭側に施すことで、空気送風路内でのイオン化空気の消失を抑制し、イオン化空気放出口１１から吐出されるイオン化空気の量を十分に確保できるように設計している。
【００３２】
イオン化空気放出口１１は、コントロールパネル６の前面から庫外前方の生活空間に向かって開口されており、庫外前方の生活空間をイオン化空気によって殺菌し、庫内への浮遊菌の侵入を防止できるようになっている。この空気放出口１１は、放出口ルーバー１１ａによって形成され、電動もしくは手動でイオン化空気吐出方向の指向性を変化するように形成することができる。また、このルーバー１１ａを電動で常時動作させることで、生活空間の空気が攪拌され、殺菌効率を向上させることもできる。
【００３３】
図６はケーシングユニットの内部構成を示す図、図７はそのＡ−Ａ断面図である。図に示すように、イオン化空気送風路２０のイオン発生装置７よりも下流側には、空気放出口１１から侵入した水等の液体をイオン発生装置７側に侵入するのを防止するための浸水防止手段２２が設けられている。
【００３４】
この浸水防止手段２２は、空気送風路２０のイオン発生装置７よりも下流側のユニット底面から立ち上がる浸水防止用のリブ２３と、このリブよりも下流側の空気放出口近傍のユニット底面に凹設された水溜２４と、この水溜２４の底面に形成された水抜き穴２５とから構成されている。なお、浸水防止手段２は、これらリブ２３、水溜２４および水抜き穴２５のうち少なくとも一つの構成要素から構成してもよい。
【００３５】
また、図４に示すように、コントロールパネル６の底面には、ケーシングユニットの水抜き穴２５に対応して、外部から侵入しケーシングユニット８の水抜き穴２５から排水された水等の液体を排出するための水抜き穴２６が形成されている。
【００３６】
ケーシングユニット８の空気吸入口の上方に配置された送風機２１は、翼幅の狭い多翼ファンからなる遠心型の送風機であって、下方から吸込んだ空気を水平方向に送風するようになっている。
【００３７】
図８は沿面放電方式のイオン発生装置７の電気回路図、図９は同じくイオン発生装置７の外観斜視図である。図に示すように、イオン発生装置７は、ケーシングの前面開口部分に配置された電極部７ａと、ケーシングに内蔵された高電圧電源部７ｂとから構成されている。
【００３８】
イオン発生装置７の電極部７ａには、チップヒーター５４が装着されており、高湿空気が電極界面を通過したときなどの放電停止現象を防ぐ構造となっている。また、イオン発生装置７の電源部７ｂにおいては、昇圧トランス５５の２次側ラインの一方はリレー５６を介して交流電源（ＡＣ）ラインに帰還しており、リレー５６がオープンの場合はプラスイオンとマイナスイオンが等量に発生され、クローズ時にはマイナスイオンを選択的に発生させる回路構成となっている。
【００３９】
なお、図８においては、イオン発生装置７の駆動電源５７が交流電源となっているが、回路構成を変更して直流電源としてもよい。ただし、直流電源とした場合は、交流電源の場合に比べ出力が上がりにくいため、負荷の大きい電極を使用する場合は回路上で２段階の昇圧手段を講じるなどの対応が必要である。
【００４０】
また、図３に示すように、空気送風路２０の電極部７ａに面したイオン化部２０ａは、その断面積が送風機２１の吐出口２１ａと同等の断面積に設定されている。これにより、送風機２１の送風の圧損を抑制して風速及び風量を確保できるので、イオン化空気の発生効率を高めることができる。
【００４１】
次に、上記構成によるケーシングユニット８の動作について説明する。冷蔵庫本体１を通電し、操作パネル部によりイオン発生装置７をＯＮの状態に設定にすると、イオン発生装置７と送風機２１は同時に作動し、空気吸入口１３から吸い込まれる庫外生活空間の空気は防塵フィルタを通り、イオン化部２０ａでイオンされた後、イオン化空気送風路２０を通りイオン化空気放出口１１より吐出される。
【００４２】
イオン発生装置７では、電源部７ｂから電極部７ａ両端に放電開始電圧以上の正負の高電圧を与えると、放電現象が起こり強力な電界を形成するため、水分を含んだ空気の絶縁破壊が生じ、プラスイオンとマイナスイオンが生成される。印加電圧は電極の構造にもよるが、３．２〜５．５ｋＶの範囲が好ましい。
【００４３】
このとき、送風機２１により空気送風路２０に送られた空気は、イオン発生装置７の放電電極７ａ表面を通過するが、表面付近を通過した空気は前述の通りプラスイオンとマイナスイオンにイオン化され、このイオン化空気が庫外前方の空間に放出されることにより、庫外前方の空間に浮遊する微生物は次のような殺菌作用を受け死滅する。
【００４４】
出力電圧が正電圧の場合は、主としてＨ＋（Ｈ２Ｏ）ｎから成るプラスイオンが生成され、負電圧の場合は、主としてＯ２−（Ｈ２Ｏ）ｍから成るマイナスイオンが生成される。Ｈ＋（Ｈ２Ｏ）ｎ及びＯ２−（Ｈ２Ｏ）ｍは微生物の表面で凝集し、空気中の微生物等の浮遊菌を取り囲む。そして、式（１）〜（３）に示すように、衝突により活性種である［・ＯＨ］（水酸基ラジカル）やＨ２Ｏ２（過酸化水素）を微生物等の表面上で凝縮生成して浮遊菌の殺菌を行う。
【００４５】
2004144342.tif 000003
【００４６】
このように、生活空間に存在している浮遊菌を殺菌する十分な量のプラスイオンとマイナスイオンを放出することで、開閉頻度の高い冷蔵室２や野菜室５の扉を開閉した際に、庫外から庫内へ侵入する微生物は排除され、より衛生的な庫内環境が実現できる。
【００４７】
また、イオン発生装置７及びその操作部１２が、冷蔵庫本体に床面から高さ８００〜１１００ｍｍの位置にあるため、歩行年齢に達する生後１歳半（平均身長が約８００ｍｍ）未満の伝い歩きからよちよち歩きの乳幼児の顔に、イオン化された空気が直接吹きかかるのを防止でき、また、大人が操作する際の操作性も損なうこともない。
【００４８】
また、コントロールパネル６内に、ユニット化されたケーシングユニット８を組み込み一体化しているので、省スペース化が図れ、貯蔵室の空間を減少させることもなく、冷蔵庫としての機能・美観を損なわずに済む。また、ケーシングユニット８のイオン化空気放出口１１を、パイプ等を経由せずコントロールパネル前面に直接配置しているので、効率良くイオン化空気を放出すると同時に省スペース化も実現することができる。
【００４９】
さらに、コントロールパネル６の前面にイオン化空気放出口１１を配置しているので、冷蔵庫の操作をしている際に手をかざす等すれば、イオン発生装置７が作動していることを容易に確認できる。また、ケーシングユニット８の空気吸入口１３を窪み１７を有する野菜室などの貯蔵室ドアハンドルの上方に設け、ドアハンドルの窪み１７によって生じた空間近傍から空気をケーシングユニット８内に吸入するようにしているので、吸入効率を向上させることができる。また、コントロールパネル６の底面に空気吸入口１３を配置することにより、上方から降ってくる粉塵の侵入を防ぎ、水等液体の流入を阻止し、性能低下や故障を回避することができる。
【００５０】
また、イオン発生装置７は、操作部１２の操作により、イオンバランスを可変させてマイナスイオンを選択的に多く放出させ、身体へのリラクゼーション効果をもたらすことができる。特に、マイナスイオンを選択的に多く発生させる場合には、イオン化空気をルーバー１１ａの操作により炊事場等の定位置で時間を費やす空間へ向けることで、効率良く身体へのリラクゼーション効果をもたらすことができる。
【００５１】
なお、上記実施形態では、庫外用のイオン発生手段についてのみ説明したが、庫内においてもイオン発生手段を設けてもよいことは勿論である。また、上記実施形態では、イオン発生手段を貯蔵室の仕切り壁前面のコントロールパネルに配置した構成を例示したが、これに限らず、冷蔵庫の貯蔵室扉にイオン発生装置のケーシングユニットを配置した構成も採用可能である。
【００５２】
【発明の効果】
以上説明したように、本発明によれば、殺菌に必要な十分な量のイオン化空気を庫外前方の生活空間に放出するイオン発生手段を冷蔵庫に設けることで、同機能を有する空気清浄機を使わずとも、極めて優れた殺菌作用により生活空間に浮遊する微生物を殺菌するため、庫外から庫内への浮遊菌の侵入が排除でき、より衛生的な冷蔵庫の庫内環境が実現できる。
【図面の簡単な説明】
【図１】本発明の実施形態である冷蔵庫の全体図
【図２】図１のコントロールパネルの構成を示す正面図
【図３】図２のコントロールパネルの構成を示す断面図
【図４】図２のコントロールパネルをケーシングユニットの空気吸入口にフィルタを取り付けた状態で下側からみた底面図
【図５】図２のコントロールパネルをケーシングユニットの空気吸入口にフィルタを取り外した状態で下側からみた底面図
【図６】図３のケーシングユニットの内部構成を示す図
【図７】図６のＡ−Ａ断面図
【図８】図３のイオン発生装置の構成例を示す回路図
【図９】図３のイオン発生装置の一例を示す外観図
【符号の説明】
１　　　　　　冷蔵庫本体
１ａ　仕切壁
２　　　　　　冷蔵室
３　　　　　　製氷室
４　　　　　　冷凍室
５　　　　　　野菜室
６　　　　　　コントロールパネル
７　　　　　　イオン発生装置
８　　　　　　ケーシングユニット
９　　　表示部
１０　　操作パネル部
１１　　イオン化空気放出口
１２　　操作部
１３　　空気吸入口
１４　　防塵フィルタ
１６　　開口
１７　　窪み
２０　　イオン化空気送風路
２１　　送風機
２２　　浸水防止手段
２３　　リブ
２４　　水溜
２５、２６　　水抜き穴
【図１】
2004144342.tif 000004
【図２】
2004144342.tif 000005
【図３】
2004144342.tif 000006
【図４】
2004144342.tif 000007
【図５】
2004144342.tif 000008
【図６】
2004144342.tif 000009
【図７】
2004144342.tif 000010
【図８】
2004144342.tif 000011
【図９】
2004144342.tif 000012